(57)【特許請求の範囲】
【請求項１】
ガス状媒体を満たされたホース（３，１０３，２０３）と、該ホース（３，１０３，２０３）用のグリップ装置と、前記ホース（３，１０３，２０３）によって貫通される、液体（１，１０１，２０１）を満たされた容器（２，１０２，２０２）とを備えていて、前記ホース（３，１０３，２０３）は、前記液体（１，１０１，２０１）よりも低い密度を有している、ホースガイド装置であって、前記ホース（３，１０３，２０３）は、鉛直部分と水平部分とにおいて、又は鉛直な軸線を備えた螺条の形で、前記容器（２，１０２）を貫いて案内されており、前記グリップ装置は、液体（１，２０１）を満たされた前記容器（２，２０２）内に配置されていて、前記ホース（３，２０３）をほぼ水平なループで又は個々の螺条部分（２１０）において案内しており、前記容器（２，２０２）はその底部領域に、前記ホースを貫通案内するための導入部材（６，２０６）と前記ホース（３，２０３）をシールするためのシールエレメント（１２，２１６）とを有していることを特徴とする、ホースガイド装置。
【請求項２】
前記グリップ装置は、互いに平行に配置された２つのチェーン（７）を有しており、該チェーン（７）に、前記ホース（３）の、ほぼ水平に案内されるループを支持するためのグリッパ（１４）が配置されている、請求項１記載のホースガイド装置。
【請求項３】
前記グリップ装置は、前記螺条の鉛直軸線に対して同心的に配置された複数のチェーン又は歯付きベルト（２０７）を有しており、該チェーン又は歯付きベルト（２０７）に、前記ホース（２０３）の個々の螺条部分（２１０）を支持するためのグリッパ（２１１）が配置されている、請求項１又は２記載のホースガイド装置。
【請求項４】
前記グリッパ（１４，２１１）は、種々異なったポジションにおいて前記チェーン（７，２０７）に取付け可能である、請求項２又は３記載のホースガイド装置。
【請求項５】
前記容器（２，１０２，２０２）の下に、液体（１′，１０１′，２０１′）を入れられた槽（８，１０８，２０８）が配置されており、前記導入部材（６，１０６，２０６）の直前に位置する、前記ホース（３，１０３，２０３）の部分は、前記槽（８，１０８，２０８）内に位置しているか又は、前記液体（１′，１０１′，２０１′）の表面において浮かんでいる、請求項１から４までのいずれか１項記載のホースガイド装置。
【請求項６】
前記容器（２，１０２，２０２）の上側に、前記ホース（３，１０３，２０３）のための変向ローラ（１０，１１０，２０９）が配置されており、前記ホース（３，１０３，２０３）は、閉じられたリングを形成している、請求項１から５までのいずれか１項記載のホースガイド装置。
【請求項７】
前記グリップ装置は、チェーン（７′）を介して、前記ホース（３）の運動エネルギを供給又は排出のためにピニオン（５）に接続されている、請求項１から６までのいずれか１項記載のホースガイド装置。
【請求項８】
前記チェーン又は歯付きベルト（２０７）の運動は互いに連結されていて、かつ、前記ホース（２０３）の運動エネルギを供給又は排出のために１つの共通のホイール（２１４）に連結されている、請求項１から６までのいずれか１項記載のホースガイド装置。
【発明の詳細な説明】
【技術分野】
【０００１】
本発明は、ガス状媒体を満たされたホースと、該ホース用のグリップ装置と、ホースによって貫通される、液体を満たされた容器とを備えていて、ホースは、液体よりも低い密度を有している、ホースガイド装置に関する。
【０００２】
運動エネルギ又は熱エネルギのようなエネルギを、ホースと容器との間において伝達させるためには、ホースの可能な限り大きな部分を、容器を通して案内することが望ましい。このことは、ホースガイド装置及び押し退け機械の共通の駆動原理である。
【０００３】
従って、本出願において、優先権出願のホースガイド装置及び押し退け機械は、同じ対象を意味している。
【０００４】
本発明の課題は、冒頭に述べた形態のホースガイド装置を改良して、特に大きなホース長さを、液体を満たされた容器内において収容することができるホースガイド装置を提供することである。
【０００５】
この課題を解決するために本発明の構成では、ホースは、鉛直部分と水平部分とにおいて、又は鉛直な軸線を備えた螺条の形で、容器を貫いて案内されている。
【０００６】
鉛直部分及び水平部分における案内によって、ホースをほぼ水平なループにおいて蛇行状に案内することができる。ループは、底部領域における旋回可能なガイド部材とグリップ装置とによって生ぜしめることができる。さらにガイド部材は、容器をホースに対してシールしている。好ましくは、ガイド部材はその外側面において半球形状を有していて、相応に形成されたボールソケットにおいて保持されており、かつホースを貫通させるための円筒形の貫通孔を有している。ホースは好ましくは特に可撓性であり、低い密度を有している。容器内における液状媒体は、好ましくは水であり、ホース内におけるガス状媒体は、好ましくは空気である。これによってホースのほぼ水平に案内されるループは、容器内において浮力を有する。
【０００７】
鉛直軸線を備えた螺条の形でホースを、容器を通して案内することによって、ホースは弦巻線に沿って案内される。この場合互いに上下に配置された複数のホース螺条部分が存在している。従ってホースは容器を通して案内される間に、曲折又は屈曲されない。ホースの案内は、ホースが螺条の鉛直軸線を中心にして回転させられることによって行われる。これによってホースが容器を貫いて運動する際に形状変化を被ることはなく、ゆえに長い耐用寿命を有している。さらにガイド部材は、容器をホースに対してシールしている。ホースの低い密度は、好ましくは、ホースが空気によって満たされていることによって生ぜしめられる。容器内における液状媒体は、好ましくは水である。これによってホースのほぼ水平な螺条部分は、容器内において浮力を有している。好ましくは、ガイド部材はその外側面において半球形をしていて、相応に形成されたボールソケットにおいて保持されていて、ホースを貫通させるために円筒形の貫通孔を有している。
【０００８】
本発明の好適な態様では、グリップ装置は、液体を満たされた容器内に配置されていて、ホースをほぼ水平なループで又は個々の螺条部分において案内しており、容器はその底部領域に、ホースを貫通案内するための導入部材とホースをシールするためのシールエレメントとを有している。導入部材が旋回可能なガイド部材を有していると、ホースの曲折箇所が好適に回避される。
【０００９】
この構成によって、ホースはほぼ水平なループによって蛇行状に案内される。ループは、底部領域における旋回可能なガイド部材とグリップ装置とによって生ぜしめることができる。ガイド部材はさらに容器をホースに対してシールしている。好ましくは、ガイド部材はその外側面において半球形をしていて、相応に形成されたボールソケットにおいて保持されていて、ホースを貫通させるために円筒形の貫通孔を有している。ホースは好ましくは特に可撓性であり、かつ低い密度を有している。容器内における液状媒体は、好ましくは水であり、ホース内におけるガス状媒体は、好ましくは空気である。これによってホースのほぼ水平に案内されるループは、容器内において浮力を有している。
【００１０】
グリップ装置を構造上特に簡単に構成するために、本発明の別の好適な態様では、グリップ装置は、互いに平行に配置された２つのチェーンを有しており、該チェーンに、ホースのほぼ水平に案内されるループを支持するためのグリッパが配置されている。
【００１１】
グリップ装置を構造上特に簡単に構成するために、本発明の別の好適な態様では、グリップ装置は、螺条の鉛直軸線に対して同心的に配置された複数のチェーン又は歯付きベルトを有しており、該チェーン又は歯付きベルトに、ホースの個々の螺条部分を支持するためのグリッパが配置されている。
【００１２】
異なった大きさのループを簡単に案内するために、本発明の別の好適な態様では、グリッパは、種々異なったポジションにおいてチェーンに取付け可能である。
【００１３】
導入部材の供給時におけるホースの応力を簡単に回避するために、本発明の別の好適な態様では、容器の下に、液体を満たされた槽が配置されており、導入部材の直前に位置するホース部分は、槽内に位置しているか又は、液体の表面において浮かんでいる。
【００１４】
ホースの連続的な案内を簡単に保証するために、本発明の別の好適な態様では、容器の上側に、ホースのための変向ローラが配置されており、ホースは、閉じられたリングを形成している。
【００１５】
ホースの運動を簡単に制御するために、本発明の別の好適な態様では、グリップ装置は、チェーンを介して、ホースの運動エネルギを供給又は排出のためにピニオンに接続されている。
【００１６】
ホースの運動を簡単に制御するために、本発明の別の好適な態様では、チェーン又は歯付きベルトの運動は互いに連結されていて、かつ、ホースの運動エネルギを供給又は排出のために１つの共通のホイールに連結されている。これによって、すべてのチェーン又は歯付きベルトが、ひいてはグリッパが、同じ鉛直方向の速度で運動することが、保証される。
【００１７】
本発明に対しては数多くの実施形態が可能である。本発明の基本原理をさらに明らかにするために、数多くの実施形態のうちの２つの実施形態が図面に示されており、以下においては、図面を参照しながら両実施の形態を説明する。
【図面の簡単な説明】
【００１８】
【図１】本発明によるホースガイド装置を示す図である。
【図２】図１に示した本発明によるホースガイド装置を示す側面図である。
【図２ａ】ホースガイド装置の導入部材を拡大して示す断面図である。
【図３】容器の上側の部分領域を拡大して示す図である。
【図４】容器の上側の部分領域を示す側面図である。
【図５】容器の下側の部分領域を拡大して示す図である。
【図６】容器の下側の部分領域を示す側面図である。
【図７】ホースガイド装置の別の実施形態を示す図である。
【図８】本発明による螺旋形のホースガイド装置を示す図である。
【図９】図８に示した本発明による螺旋形のホースガイド装置を示す側面図である。
【図１０】螺旋形のホースガイド装置の導入部材を拡大して示す断面図である。
【００１９】
図１には、しばしば押し退け機械（Verdraengermaschine）とも呼ばれるホースガイド装置が示されており、このホースガイド装置は、液体１、好ましくは水を満たされた容器２を備えている。このホースガイド装置は、さらに図２に側面図で示されている。容器２を貫いて、リング状に閉じられかつ空気を満たされたホース３が案内されている。容器２の下には、液体１′、好ましくは水を入れられたパンもしくは槽８が配置されており、この槽８を通ってホース３は、容器２の底部領域に供給される。底部領域には導入部材６が配置されており、この導入部材６は、容器２へのホース３の導入を可能にし、かつ容器２をホース３に対してシールする。導入部材６の傾斜した図示から分かるように、導入部材６は、ホース３の運動によって旋回可能である。ホース３は、２つの平行なチェーン７を備えたグリップ装置によって鉛直方向で、ほぼ水平なループにおいて、容器２を通して案内される。チェーン７には、ループを生ぜしめるために、所定の間隔をおいてグリッパ１４が配置されている。チェーン７は側部においてガイド４によって案内される。チェーン７の下側の変向部には、チェーン７のための変向ピニオン（図示せず）を備えた軸９が配置されている。上側の変向部には歯車５が配置されており、この歯車５は、別のチェーン７′で、変向ローラ１０を支持する軸９′に接続されている。変向ローラ１０を支持する軸９′は、運動エネルギを供給・排出するためのピニオンを有している。
【００２０】
さらにホースガイド装置は、軸９′を保持するための取付けレールと、操作員（図示せず）がアクセス可能なプラットフォーム１３とを有している。
【００２１】
図２ａには、図１及び図２に示した導入部材６が拡大して示されている。この図２ａから分かるように、導入部材６はその外側面において球形に形成されていて、容器２の底部領域の相応に形成されたパンもしくは鍋形状の壁に旋回可能に支持されている。さらに導入部材６は、ホース３を軸方向ガイドするためのガイド部材１１と、ホース３に対して容器２をシールするためのシールエレメント１２とを有している。
【００２２】
さらに明らかにするために、図３及び図４には、変向ローラ１０を備えたホースガイド装置の上側領域が、異なった２つの方向から見た図で示されている。
【００２３】
導入部材６を備えたホースガイド装置の下側領域は、図５及び図６において異なった２つの方向から見た図で示されている。
【００２４】
図７にはホースガイド装置の別の実施形態が示されており、この実施形態ではホース１０３は、液体１０１を満たされた容器１０２の底部領域に配置された導入部材１０６から、容器１０２の上側に配置された変向ローラ１１０に向かって対角線状に案内されている。変向ローラ１１０からホースは、液体１０１′を満たされた槽１０８を通って再び導入部材１０６に案内される。これによって変向ローラ１１０は、ホース１０３のグリップ装置を形成する。その他の点においてこの実施形態は、図１〜図６に示した実施形態のように構成されている。
【００２５】
図８には、液体２０１、好ましくは水を満たされた容器２０２を備えた螺旋形のホースガイド装置が示されている。この螺旋形のホースガイド装置は、さらに図９において側面図で示されている。容器２０２を通して、リング状に閉じられていて空気を満たされたホース２０３が案内されている。容器２０２の内部においてホース２０３は、鉛直な軸線を有する螺条の形で案内されている。容器２０２の下には、液体２０１′、好ましくは水を入れられた槽２０８が配置されており、この槽２０８もしくは液体２０１′を通って、ホース２０３は容器２０２の底部領域に供給される。供給時にホース２０３は、槽２０８の液体２０１′の表面において浮かんでいる。容器２０２の底部領域には、導入部材２０６が配置されており、この導入部材２０６は、容器２０２内へのホース２０３の導入を可能にし、かつ容器２０２をホース２０３に対してシールしている。容器２０２の上側には変向ローラ２０９が配置されている。
【００２６】
ホース２０３はグリップ装置によって保持され、このグリップ装置は、ホース２０３の螺条の鉛直軸線に対して同心的に配置された複数のチェーン又は歯付きベルト２０７を備えている。これによってホース２０３は、鉛直方向において互いに上下に配置された複数の螺条部分２１０を形成している。チェーン又は歯付きベルト２０７には、螺条部分２１０を生ぜしめるために所定の間隔をおいてグリッパ２１１が配置されている。チェーン又は歯付きベルト２０７の運動は、複数の変向伝動装置２１２を介して互いに連結されている。これらの変向伝動装置２１２は、１つの共通の鉛直な軸２１３と形状結合部を形成している。軸２１３には、ホース２０３の運動エネルギを供給又は排出するためのホイール２１４が固定されている。螺条部分２１０は、液体２０１内において浮力によって上昇する。この場合螺条部分２１０は、グリップ装置によって、軸２１３によって形成された鉛直な軸線を中心にして回転する。
【００２７】
図１０には、図８及び図９に示した導入部材２０６が拡大して示されている。この図１０から分かるように、導入部材２０６はその外側面において球形に形成されていて、容器２０２の底部領域の、相応に形成されたパンもしくは鍋形状の壁に旋回可能に支持されている。さらに導入部２０６は、ホース２０３を軸方向ガイドするためのガイド部材２１５と、ホース２０３に対して容器２０２をシールするためのシールエレメント２１６とを有している。
【図１】
0005882501.tif 000002
【図２】
0005882501.tif 000003
【図２ａ】
0005882501.tif 000004
【図３】
0005882501.tif 000005
【図４】
0005882501.tif 000006
【図５】
0005882501.tif 000007
【図６】
0005882501.tif 000008
【図７】
0005882501.tif 000009
【図８】
0005882501.tif 000010
【図９】
0005882501.tif 000011
【図１０】
0005882501.tif 000012